(57)【特許請求の範囲】
【請求項１】
遊技媒体が載置されるプレイフィールドと、
該プレイフィールドの下面に当接し、振動をＸ方向に伝搬させるようにＸ方向に延在形成されたＸ方向伝搬部材と、
前記プレイフィールドの下面に当接し、振動を前記Ｘ方向と直交するＹ方向に伝搬させるようにＹ方向に延在形成されたＹ方向伝搬部材と、
前記Ｘ方向伝搬部材に振動を入力する第１発振用振動器と、
前記Ｘ方向伝搬部材に伝搬された振動を吸収する第１吸振用振動器と、
前記Ｙ方向伝搬部材に振動を入力する第２発振用振動器と、
前記Ｙ方向伝搬部材に伝搬された振動を吸収する第２吸振用振動器と、
を有し、
前記Ｘ方向伝搬部材は、複数の伝搬部材をＸ方向に平行に並設された第１の集合体からなり、
前記Ｙ方向伝搬部材は、複数の伝搬部材をＹ方向に平行に並設された第２の集合体からなり、
前記第１の集合体と前記第２の集合体とを交差させるように配置したことを特徴とする遊技媒体搬送機構。
【請求項２】
前記Ｘ方向伝搬部材または前記Ｙ方向伝搬部材のうち一方が前記プレイフィールドに当接する凸部と前記プレイフィールドから離間する凹部とが交互に形成されたくし歯状に形成され、前記Ｘ方向伝搬部材または前記Ｙ方向伝搬部材のうち他方が前記凹部に接触しないように挿通される棒状に形成されたことを特徴とする請求項１記載の遊技媒体搬送機構。
【発明の詳細な説明】
【０００１】
【発明の属する技術分野】
本発明は、ゲームセンタ等の遊技施設に設置され、カードまたはメダル等の遊技媒体を搬送する遊技媒体搬送機構の改良に関する。
【０００２】
【従来の技術】
例えばゲームセンタ等の遊技施設においては、例えばポーカやブラックジャックやカード占いといったカードゲームが行えるカードゲーム装置が設置されている。
【０００３】
この種のカードゲーム装置では、例えばＣＲＴディスプレイに複数枚のカードを表示し、遊技者の操作に応じて表示されているカードを入れ換えたり、あるいは配ったカードを裏返してカードの図柄を表示して見せることによりゲームを楽しめるようになっている。
【０００４】
ところが、上記のような従来のカードゲーム装置では、ＣＲＴディスプレイにカードの図柄を表示するため、実際にカードを配ってカードゲームを行うのに比べて臨場感が乏しく、カードを反転させるときの緊張感あるいは勝負に勝ったときの満足感が十分でないため、実際のカードを使用するカードゲーム装置の開発が進められている。
【０００５】
【発明が解決しようとする課題】
上記のようなカードゲーム装置においては、プレイフィールド上にカードを１枚ずつ搬送する搬送機構と、ゲーム終了後にプレイフィールド上のカードを回収するための回収機構を開発する必要がある。しかしながら、上記のようなカードゲーム装置を開発する場合、プレイフィールド上に配布された全てのカードを速やかに回収することが難しく、特にカードを損傷しないように回収することが重要になる。
【０００６】
このカードを回収する回収機構の構成としては、例えば、自動車のフロントガラスの水滴を除去するワイパのような機構が一般的に考えられるが、ワイパの動作によりカードがプレイフィールドを擦られながら回収口へ移動する際にカードが損傷してしまう可能性が高いといった問題がある。
【０００７】
そこで、本発明は、上記課題を解決した遊技媒体搬送機構を提供することを目的とする。
【０００８】
【課題を解決するための手段】
上記課題を解決するため、以下のような特徴を有する。
【００１２】
上記請求項１記載の発明は、Ｘ方向伝搬部材が複数の伝搬部材をＸ方向に平行に並設された第１の集合体からなり、Ｙ方向伝搬部材が複数の伝搬部材をＹ方向に平行に並設された第２の集合体からなり、第１の集合体と第２の集合体とを交差させるように配置することにより、プレイフィールドの全面にＸ方向の進行波とＹ方向の進行波を伝搬させることができ、プレイフィールド上の全ての遊技媒体を同時に移動させることができる。
【００１３】
また、請求項２記載の発明は、Ｘ方向伝搬部材またはＹ方向伝搬部材のうち一方がプレイフィールドに当接する凸部とプレイフィールドから離間する凹部とが交互に形成されたくし歯状に形成され、Ｘ方向伝搬部材またはＹ方向伝搬部材のうち他方が凹部に接触しないように挿通される棒状に形成されており、Ｘ方向の進行波とＹ方向の進行波によりプレイフィールド上に載置された遊技媒体を自動的にＸ方向またはＹ方向に移動させることができる。
【００１９】
【発明の実施の形態】
以下図面と共に本発明の実施の形態について説明する。
【００２０】
図１は本発明の実施の形態に係る遊技媒体搬送機構の一実施例が適用されたカードゲーム装置の斜視図である。
【００２１】
図１に示されるように、カードゲーム装置１１は、複数のカード１２の中から一のカード１２を順次排出するカード排出機構１４と、カード排出機構１４から供給されたカード１２が載置される扇状のテーブル１６と、テーブル１６の下方に設けられテーブル１６上に排出されたカード１２を搬送するカード搬送機構１８と、ゲーム終了後テーブル１６上のカード１２を回収するカード回収機構２０と、回収されたカードを揃えてカード排出機構１４に供給するカード供給機構（図示せず）と、を備えてなる。
【００２２】
カード排出機構１４は、回収されたカード１２が積重された第１，第２のカードストッカ２４，２６、第１，第２のカードストッカ２４，２６に積重されたカード１２を交互に引き出して混ぜるカードシャッフル部２８と、カードシャッフル部２８のシャッフル動作により左右のカードストッカ２４，２６から引き出されたカード１２が順次積重される第３のカードストッカ３０と、第３のカードストッカ３０に積重されたカード１２を一枚ずつテーブル１６上に排出するカード排出部３２とを有する。
【００２３】
カードストッカ２４，２６では、カード供給機構（図示せず）から供給されたカード１２を上方に付勢するエレベータ機構（図示せず）が設けられており、最上端に位置するカード位置が常に一定高さとなるように高さ調整が自動的に行われている。そのため、カードシャッフル部２８は、常に最上端に位置するカード１２のみを引き出して中間に位置する第３のカードストッカ３０に左右のカードストッカ２４，２６から引き出されたカード１２を落とすことができる。
【００２４】
また、カードストッカ２４，２６のカード１２がなくなると、カード供給機構２２から供給されたカード１２がカードストッカ２４，２６に積み上げられる。
カード回収機構２０は、上記カード搬送機構１８により搬送されたカード１２を回収するための回収口３６を有するカード回収ボックス３８から構成されている。尚、カード搬送機構１８は、ゲーム開始前はカード１２を各遊技者に配布するカード配布装置として機能し、ゲーム終了後はプレイフィールド３４の各カード１２を回収口３６に移動させてカード１２を回収するカード回収装置として機能する。
【００２５】
カード回収機構２０は、ゲーム終了後カード搬送機構１８の搬送動作によりプレイフィールド３４に超音波が伝搬されると、プレイフィールド３４上の全カード１２がプレイフィールド３４の左側方に設置された回収口３６に搬送されるとともに、回収口３６に投入された全カード１２を回収する。また、カード回収ボックス３８の内部には、回収された各カード１２の向きを揃えてカード排出機構１４に供給するカード供給機構（図示せず）が設けられている。
【００２６】
カード供給機構は、カード１２の縦方向及び横方向を一定方向に揃える第１のカード方向調整機構と、カード１２の裏表が同一の向きとなるように揃える第２のカード方向調整機構と、カード１２の向きを一定方向に揃える第３のカード方向調整機構とを備えてなる。そのため、カード排出機構１４に供給されるカード１２は、全て一定の向きに揃えた状態でカードストッカ２４，２６に供給される。
【００２７】
このように、カードゲーム装置１１では、前述したカード排出機構１４と、カード搬送機構１８と、カード回収機構２０と、カード供給機構とを組み合わせることにより、カード搬送工程、カード回収工程、カード向き調整工程、カードシャッフル工程、カード排出工程の各工程を自動的且つ連続的に行うことが可能になり、カードを配るための人手を省くことができ、カードゲームの無人化を図ることができる。
【００２８】
図２はカード搬送機構１８の構成を説明するための斜視図である。また、図３はカード搬送機構１８の構成を説明するための正面図である。
【００２９】
図２及び図３に示されるように、カード搬送機構１８は、テーブル１６上に取り付けられたアルミニウム製の板材からなるプレイフィールド３４（図１中、一点鎖線で示す）の下方に設けられ、プレイフィールド３４に超音波を伝搬することによりカード１２を所定方向に搬送する構成であり、カード１２をＸ方向に搬送するＸ方向搬送部１８Ａと、カード１２をＹ方向に搬送するＹ方向搬送部１８Ｂとを有する。
【００３０】
Ｘ方向搬送部１８Ａは、超音波を発振または吸収する第１の振動器４０Ａと、超音波をＸ方向に伝搬させるための複数の伝搬部材（図１中、一点鎖線で示す第１の集合体）４２Ａ１〜４２Ａｎと、伝搬された振動を吸収または発振する第２の振動器４４Ａと、複数の伝搬部材４２Ａ１〜４２Ａｎの両端を横切るように延在形成され振動器４０Ａまたは４４Ａから発振された超音波を複数の伝搬部材４２Ａ１〜４２Ａｎに伝搬する一対の伝搬部材４６Ａとからなる。
【００３１】
また、Ｙ方向搬送部１８Ｂは、超音波を発振または吸収する第１の振動器４０Ｂと、超音波をＹ方向に伝搬させるための複数の伝搬部材（図１中、一点鎖線で示す第２の集合体）４２Ｂ１〜４２Ｂｎと、伝搬された振動を吸収または発振する第２の振動器４４Ｂと、複数の伝搬部材４２Ｂ１〜４２Ｂｎの両端を横切るように延在形成され振動器４０Ｂまたは４４Ｂから発振された超音波を複数の伝搬部材４２Ｂ１〜４２Ｂｎに伝搬する一対の伝搬部材４６Ｂとからなる。
【００３２】
カード搬送機構１８は、Ｘ方向に延在する伝搬部材４２Ａ１〜４２ＡｎとＹ方向に延在する伝搬部材４２Ｂ１〜４２Ｂｎとが立体的に交差するため、伝搬部材４２Ａ１〜４２Ａｎが下方に配置され、伝搬部材４２Ｂ１〜４２Ｂｎが上方に配置される。そして、伝搬部材４２Ａ１〜４２Ａｎは、Ｘ方向に直線状に延在する棒状に形成されている。また、伝搬部材４２Ｂ１〜４２Ｂｎは、伝搬部材４２Ａが挿通される凹部４８と、プレイフィールド３４の下面に当接する凸部４９とが交互に設けられたくし歯状に形成されている。また、凹部４８は、伝搬部材４２Ａ１〜４２Ａｎが交差できるように伝搬部材４２Ａ１〜４２Ａｎの配置間隔と同一間隔に設けられている。
【００３３】
ここで、カード搬送機構１８のＸ方向搬送部１８ＡとＹ方向搬送部１８Ｂについて説明する。尚、Ｙ方向搬送部１８Ｂは、Ｘ方向搬送部１８Ａと同様な構成であるので、その説明は省略する。
【００３４】
図４はＸ方向搬送部１８Ａの構成を示す斜視図である。また、図５はＸ方向搬送部１８Ａの構成を示す平面図である。また、図６はＸ方向搬送部１８Ａの構成を示す正面図である。
【００３５】
図４乃至図６に示されるように、圧電素子からなる振動器４０Ａ、４４Ａは、ジュラルミン製の板材からなる複数の伝搬部材４２Ａ１〜４２Ａｎの両端に位置するように設けられている。振動器４０Ａ、４４Ａのうちいずれか一方に所定周波数の電圧が印可されると、超音波を伝搬部材４２Ａ１〜４２Ａｎに発振するための発振用振動器として機能し、振動器４０Ａ,４４Ａのうちいずれか他方が伝搬部材４２Ａ１〜４２Ａｎに伝搬された超音波を吸収して反射波による定在波の発生を防止するための吸振用振動器として機能する。
【００３６】
伝搬部材４２Ａ１〜４２Ａｎは、カード１２の搬送方向に延在形成されており、超音波の伝搬により発生する進行波を利用してカード１２を搬送する。カード１２は、テーブル１６上に取り付けられたプレイフィールド３４上に載置された状態で伝搬部材４２Ａ１〜４２Ａｎからの超音波の進行波による振動を受ける。そして、伝搬部材４２Ａを伝搬する超音波の進行波は、プレイフィールド３４にも伝搬されるため、プレイフィールド３４上に載置されたカード１２は、進行波によって超音波の伝搬方向と１８０度逆方向に搬送される。
【００３７】
これは、後述するように、プレイフィールド３４の表面は、超音波の伝搬によって上下方向に振動するだけでなく、超音波が進行する方向と１８０度逆方向にも振動しており、ある一点だけをみると楕円運動しているからである。従って、カード１２は、プレイフィールド３４の表面との摩擦により振動器４０Ａ,４４Ａのうち超音波を発振する発振用振動器に向かって搬送される。
【００３８】
例えば、カードゲーム終了後にカード１２を回収する場合は、図７に示されるように、カード回収ボックス３８の近傍に設けられた振動器４０Ａが発振器５０から所定周波数の電圧を印加されて超音波を発振し、カード回収ボックス３８から離間した振動器４０Ａが超音波を受信するとともに吸振動作により発生した電圧を負荷回路５２により吸収される。これにより、プレイフィールド３４上に載置されたカード１２は、進行波の進行方向と逆方向に搬送されてカード回収ボックス３８に回収される。
【００３９】
このように、プレイフィールド３４上に載置されたカード１２は、超音波の進行波の伝搬方向と逆方向に搬送されて回収されるため、カード１２の損傷を防止できるとともに、カード１２を人手やワイパのような機械的な動作を用いずに回収して遊技者に不思議感を与えることができる。
【００４０】
図８は超音波の伝搬によりカード１２が搬送される原理を説明するための図であり、（Ａ）は縦断面図、（Ｂ）は平面図である。
【００４１】
図８（Ａ）（Ｂ）に示されるように、超音波の進行波が右方に伝搬すると、カード１２が載置されたプレイフィールド３４の表面では、反時計回りの楕円運動が行われる。すなわち、超音波の進行波が右方に伝搬することによりプレイフィールド３４の表面が上下方向に振動するとともに進行波の伝搬方向と１８０度逆方向にも振動するため、プレイフィールド３４上に載置されたカード１２は超音波の伝搬方向と１８０度逆方向の搬送力Ｆを受けて同方向に搬送される。
【００４２】
図９は超音波の伝搬によりカード１２が搬送される様子を説明するための図であり、（Ａ）はカード１２をＸ方向に搬送する場合の斜視図、（Ｂ）はカード１２をＸ，Ｙ方向に搬送する場合の斜視図である。
【００４３】
図９（Ａ）に示されるように、Ｘ方向搬送部１８Ａにより超音波の進行波がＸａ方向に伝搬する場合、プレイフィールド３４上に載置されたカード１２は超音波の伝搬方向と１８０度の逆方向であるＸｂ方向に搬送される。
【００４４】
また、図９（Ｂ）に示されるように、Ｘ方向搬送部１８Ａにより超音波の進行波ＸがＸａ方向に伝搬するのと同時に、Ｙ方向搬送部１８Ｂにより超音波の進行波ＹがＹｂ方向に伝搬する場合、プレイフィールド３４上に載置されたカード１２はＸｂ方向の搬送力ＦａとＹａ方向の搬送力Ｆｂを受ける。そのため、カード１２は搬送力Ｆａと搬送力Ｆｂとの合力Ｆの作用方向に搬送される。
【００４５】
従って、図１０に示されるように、Ｘ方向搬送部１８Ａの全ての伝搬部材４２ＡとＹ方向搬送部１８Ｂの全ての伝搬部材４２Ｂの超音波が発振されて進行波が伝搬されると、プレイフィールド３４上に載置されたカード１２は搬送力Ｆａと搬送力Ｆｂとの合力Ｆの作用方向に搬送される。
【００４６】
また、Ｘ方向搬送部１８Ａの進行波Ｘの伝搬とＹ方向搬送部１８Ｂの進行波Ｙの伝搬を所定時間間隔で交互に行うようにＸ方向搬送部１８Ａの振動器とＹ方向搬送部１８Ｂの振動器とをタイムシェアリング制御するようにしても良い。この場合、カード１２はＸｂ方向の搬送力ＦａとＹａ方向の搬送力Ｆｂとを所定時間間隔で交互に受けるため、結果的にカード１２は搬送力Ｆａと搬送力Ｆｂとの合力Ｆの作用方向に搬送される。
【００４７】
図１１はカード搬送機構の変形例１を示す斜視図である。
【００４８】
図１１に示されるように、変形例１のカード搬送機構５２では、Ｘ方向の伝搬部材４２Ａ１〜４２Ａｎを個別に振動させる振動器４０Ａ１〜４０Ａｎ，４４Ａ１〜４４Ａｎと、Ｙ方向の伝搬部材４２Ｂ１〜４２Ｂｎを個別に振動させる振動器４０Ｂ１〜４０Ｂｎ，４４Ｂ１〜４４Ｂｎとが設けられている。尚、図１１において、振動器４０Ａ１〜４０Ａｎ及び４４Ｂ１〜４４Ｂｎは、隠れて見えないこのカード搬送機構５２では、伝搬部材４２Ａ１〜４２Ａｎ及び伝搬部材４２Ｂ１〜４２Ｂｎに対して個別に超音波を入力することができるので、プレイフィールド３４上に載置された複数のカード１２のうち任意のカード１２を搬送することが可能になる。
【００４９】
図１２に示されるように、例えばプレイフィールド３４上に載置された２枚のカード１２１，１２２のうち右側のカード１２２のみを搬送することができる。この場合、Ｘ方向の伝搬部材４２Ａ２とＹ方向の伝搬部材４２Ｂｎ−２の超音波を伝搬させることによりカード１２２のみを搬送することが可能になる。
【００５０】
図１３はカード搬送機構の変形例２を示す斜視図である。
【００５１】
図１３に示されるように、変形例２のカード搬送機構５４では、上記Ｘ方向搬送部１８Ａ、Ｙ方向搬送部１８Ｂの他に回収口３６の前後方向にも第３カード搬送部５６と、第４カード搬送部５８とが設けられている。
【００５２】
この第３カード搬送部５６及び第４カード搬送部５８は、プレイフィールド３４上に回収口３６が設けられており、前述したＸ方向搬送部１８Ａによりカード１２をＸ方向に搬送した後、回収口３６に投入されなかったカード１２をＹａ，Ｙｂ方向に移動させて回収口３６に投入する。
【００５３】
第３カード搬送部５６は、超音波を発振する発振用振動器５６ａと、超音波をＹａ方向に伝搬させるための伝搬部材５６ｂと、伝搬された超音波を吸収する吸振用振動器５６ｃとから構成されている。
【００５４】
第４カード搬送部５８は、超音波を発振する発振用振動器５８ａと、超音波をＹｂ方向に伝搬させるための伝搬部材５８ｂと、伝搬された超音波を吸収する吸振用振動器５８ｃとから構成されている。
【００５５】
そのため、カードゲーム終了後、プレイフィールド３４上に載置されたカード１２を回収する際は、先ずＸ方向搬送部１８Ａによりカード１２をＸｂ方向に搬送する。そして、複数のカード１２のうち一部は回収口３６に投入されるが、残りのカード１２は第３カード搬送部５６の伝搬部材５６ｂまたは第４カード搬送部５８の伝搬部材５８ｂに移動される。
【００５６】
次に、第３カード搬送部５６において、発振用振動器５６ａから発振された超音波が伝搬部材５６ｂに伝搬されるとともに、第４カード搬送部５８において、発振用振動器５８ａから発振された超音波が伝搬部材５８ｂに伝搬される。これにより、伝搬部材５６ｂまたは５８ｂに載置されたカード１２は、超音波の進行波の伝搬方向を逆方向に移動して回収口３６に回収される。
【００５７】
このように、プレイフィールド３４に回収口３６及びカード搬送部５６，５８を設けることにより、回収口３６を小さくすることが可能になり、プレイフィールド３４上で回収口３６が目立たないように設けることができる。
【００５８】
図１４はカード搬送機構の変形例３を示す斜視図である。図１５は搬送ユニットを拡大して示す斜視図である。
【００５９】
図１４及び図１５に示されるように、変形例３のカード搬送機構６０では、プレイフィールド３４の下方に複数の搬送ユニット６２（６２１〜６２ｎ）がＸ，Ｙ方向にマトリックス状に並設されている。尚、図１４では９行×９列の搬送ユニット６２（６２１〜６２ｎ）が所定間隔毎にＸ，Ｙ方向に設けられている。
【００６０】
各搬送ユニット６２（６２１〜６２ｎ）は、同一構成であり、正方形状の伝搬部材６４と、伝搬部材６４の下面に当接する第１〜第４の圧電素子６６〜６９とからなる。第１〜第４の圧電素子６６〜６９は、伝搬部材６４の４方向に配置されている。Ｘ方向で対向する一対の圧電素子６６，６７は、Ｘ方向の振動器として設けられ、Ｙ方向で対向する圧電素子６８，６９は、Ｙ方向の振動器として設けられている。伝搬部材６４は、カード１２よりも小さい寸法で正方形状に形成されており、カード１２がプレイフィールド３４に載置されると、カード１２の下面に対して複数個（本実施例では、６個〜８個程度）が対向する。
【００６１】
また、各圧電素子６６〜６９は、前述した振動器と同様に伝搬部材６４に超音波を発振する発振用振動器、あるいは伝搬部材６４を伝搬した超音波を吸収する吸振用振動器として作用する。
【００６２】
例えば、図１６（Ａ）に示されるように、第１の圧電素子６６に電圧を印加して超音波を発振するとともに、第２の圧電素子６７に抵抗を接続して伝搬した超音波を吸収する。これにより、超音波の進行波Ｘと逆方向への搬送力Ｆｘがカード１２に伝達される。
【００６３】
また、図１６（Ｂ）に示されるように、第３の圧電素子６８に電圧を印加して超音波を発振するとともに、第４の圧電素子６９に抵抗を接続して伝搬した超音波を吸収する。これにより、超音波の進行波Ｙと逆方向への搬送力Ｆｙがカード１２に伝達される。
【００６４】
従って、図１６（Ｃ）に示されるように、複数の搬送ユニット６２が並設された場合、各搬送ユニット６２毎に超音波の進行波Ｘと逆方向への搬送力Ｆｘがカード１２に付与される。また、カード１２の下面には、複数個（本実施例では、６個〜８個程度）搬送ユニット６２が対向しているので、複数の搬送ユニット６２からの搬送力Ｆにより任意の方向に搬送される。
【００６５】
このように、複数の搬送ユニット６２（６２１〜６２ｎ）のうちカード１２の下面に対向する搬送ユニット６２のみを作動させて搬送力Ｆをカード１２に付与してカード１２の配布または回収を行うことができる。
【００６６】
図１７はカード搬送機構の変形例４を示す斜視図である。
【００６７】
図１７に示されるように、カード搬送機構７０は、扇形のプレイフィールド３４を有し、カード１２に向けて超音波の進行波７２が伝搬されると、超音波がプレイフィールド３４の円弧状縁部３４ａで反射して反射波７４が発生する。プレイフィールド３４上に載置されたカード１２は、超音波の進行波７２と、プレイフィールド３４の円弧状縁部３４ａで反射して反射波７４とにより搬送力を付与されて搬送方向を変化させながら移動する。そのため、カード１２は、反射波７４の進行方向によってプレイフィールド３４から脱落しないように搬送される。
図１８はカード搬送機構の変形例５を示す斜視図である。
【００６８】
図１８に示されるように、カード搬送機構８０は、密閉された透明な箱体８２の底部がプレイフィールド３４になっており、箱体８２の側面には内部空間に加圧された圧縮空気を供給するための空気導入口８４が設けられている。箱体８２の内部は、常に大気圧以上の圧力に保持されているため、プレイフィールド３４に載置されたカード１２の上面には予圧が作用してカード１２をプレイフィールド３４に押圧する。そのため、カード１２は、重力だけでなく空気圧による予圧を加算した力でプレイフィールド３４に押圧される。
【００６９】
そのため、プレイフィールド３４に超音波の進行波が伝搬されると、カード１２は空気圧による予圧が作用した分、プレイフィールド３４に対する摩擦が増大して進行波による搬送力が確実にカード１２に伝達される。これにより、カード１２の搬送効率が高められる。
【００７０】
尚、上記実施の形態では、カードゲーム装置に組み込まれたカード搬送機構を一例として説明したが、これに限らず、カード以外の遊技媒体（例えば、メダルやチップ等）を搬送することができるのは勿論である。
【００７４】
【発明の効果】
上述の如く、請求項１記載の発明によれば、Ｘ方向伝搬部材が複数の伝搬部材をＸ方向に平行に並設された第１の集合体からなり、Ｙ方向伝搬部材が複数の伝搬部材をＹ方向に平行に並設された第２の集合体からなり、第１の集合体と第２の集合体とを交差させるように配置したため、プレイフィールドの全面にＸ方向の進行波とＹ方向の進行波を伝搬させることができ、プレイフィールド上の全ての遊技媒体を同時に移動させることができる。
【００７５】
また、請求項２記載の発明によれば、Ｘ方向伝搬部材またはＹ方向伝搬部材のうち一方がプレイフィールドに当接する凸部とプレイフィールドから離間する凹部とが交互に形成されたくし歯状に形成され、Ｘ方向伝搬部材またはＹ方向伝搬部材のうち他方が凹部に接触しないように挿通される棒状に形成されたため、Ｘ方向の進行波とＹ方向の進行波によりプレイフィールド上に載置された遊技媒体を自動的にＸ方向またはＹ方向に移動させることができる。
【図面の簡単な説明】
【図１】  本発明の実施の形態に係る遊技媒体搬送機構の一実施例が適用されたカードゲーム装置の斜視図である。
【図２】  カード搬送機構１８の構成を説明するための斜視図である。
【図３】  カード搬送機構１８の構成を説明するための正面図である。
【図４】  Ｘ方向搬送部１８Ａの構成を示す斜視図である。
【図５】  Ｘ方向搬送部１８Ａの構成を示す平面図である。
【図６】  Ｘ方向搬送部１８Ａの構成を示す正面図である。
【図７】  Ｘ方向搬送部１８Ａの作動原理を説明するための正面図である。
【図８】  超音波の伝搬によりカード１２が搬送される原理を説明するための図であり、（Ａ）は縦断面図、（Ｂ）は平面図である。
【図９】  超音波の進行波とカードの搬送方向との関係を説明するための図であり、（Ａ）はＸ方向の進行波が伝搬された場合の斜視図、（Ｂ）はＸ，Ｙ方向の進行波が伝搬された場合の平面図である。
【図１０】  プレイフィールド上に載置された全カードを搬送する場合の進行波の伝搬状態を示す斜視図である。
【図１１】  カード搬送機構の変形例１を示す斜視図である。
【図１２】  プレイフィールド上に載置された一のカードを搬送する場合の進行波の伝搬状態を示す斜視図である。
【図１３】  カード搬送機構の変形例２を示す斜視図である。
【図１４】  カード搬送機構の変形例３を示す斜視図である。
【図１５】  搬送ユニットを拡大して示す斜視図である。
【図１６】  搬送ユニットの進行波の伝搬動作を示す図であり、（Ａ）はＸ方向の進行波の伝搬動作を示す斜視図、（Ｂ）はＹ方向の進行波の伝搬動作を示す斜視図、（Ｃ）は複数の搬送ユニットの進行波の伝搬動作を示す斜視図である。
【図１７】  カード搬送機構の変形例４を示す斜視図である。
【図１８】  カード搬送機構の変形例５を示す斜視図である。
【符号の説明】
１１  カードゲーム装置
１２  カード
１４  カード排出機構
１６  テーブル
１８，５２，５４，６０，７０，８０  カード搬送機構
１８Ａ  Ｘ方向搬送部
１８Ｂ  Ｙ方向搬送部
２０  カード回収機構
２４  第１のカードストッカ
２６  第２のカードストッカ
２８  カードシャッフル部
３０  第３のカードストッカ
３２  カード排出部
３４  プレイフィールド
３６  回収口
３８  カード回収ボックス
４０Ａ，４０Ｂ  第１の振動器
４２Ａ１〜４２Ａｎ，４２Ｂ１〜４２Ｂｎ  伝搬部材
４４Ａ，４４Ｂ  第２の振動器
４６Ａ，４６Ｂ，６４  伝搬部材
４８  凹部
４９  凸部
５０  発振器
５２  負荷回路
５６  第３カード搬送部
５８  第４カード搬送部
６２（６２１〜６２ｎ）  搬送ユニット
６６〜６９  第１〜第４の圧電素子
８２  箱体
８４  空気導入口
【図１】
0004524854.tif 000002
【図２】
0004524854.tif 000003
【図３】
0004524854.tif 000004
【図４】
0004524854.tif 000005
【図５】
0004524854.tif 000006
【図６】
0004524854.tif 000007
【図７】
0004524854.tif 000008
【図８】
0004524854.tif 000009
【図９】
0004524854.tif 000010
【図１０】
0004524854.tif 000011
【図１１】
0004524854.tif 000012
【図１２】
0004524854.tif 000013
【図１３】
0004524854.tif 000014
【図１４】
0004524854.tif 000015
【図１５】
0004524854.tif 000016
【図１６】
0004524854.tif 000017
【図１７】
0004524854.tif 000018
【図１８】
0004524854.tif 000019